(57)【要約】      （修正有）【課題】伝送容量の低下及び伝送路応答の推定精度の低下を招くことなく、ブロック符号化されたデータを伝送可能な送信装置を提供する。【解決手段】ＯＦＤＭ信号によりデータを送信する送信装置１００であって、Ｎ（Ｎは２以上の正の整数）個のデータからなるデータブロックを生成するブロック符号化部１４０と、伝送路応答推定のためのパイロット信号を生成するパイロット信号生成部と、データブロック及びパイロット信号によりＯＦＤＭ信号のＯＦＤＭシンボルを構成するＯＦＤＭシンボル構成部と、を備えるＯＦＤＭ変調部１５０からなり、ＯＦＤＭシンボル構成部は、データブロックがＯＦＤＭシンボルの隣接するデータキャリアシンボルに割り当てられるように、パイロット信号を配置する。【選択図】図１３
2013236227.tif 000002
【特許請求の範囲】
【請求項１】
ＯＦＤＭ信号によりデータを送信する送信装置であって、
Ｎ（Ｎは２以上の正の整数）個のデータからなるデータブロックを生成するブロック符号化部と、
伝送路応答推定のためのパイロット信号を生成するパイロット信号生成部と、
前記データブロック及び前記パイロット信号により前記ＯＦＤＭ信号のＯＦＤＭシンボルを構成するＯＦＤＭシンボル構成部と、を備え、
前記ＯＦＤＭシンボル構成部は、
前記データブロックが前記ＯＦＤＭシンボルの隣接するデータキャリアシンボルに割り当てられるように、前記パイロット信号を配置する、ことを特徴とする送信装置。
【請求項２】
前記ブロック符号化部は、時空間ブロック符号化された前記データブロックを生成し、
前記ＯＦＤＭシンボル構成部は、Ｎ個のデータからなる前記データブロックがシンボル方向にＭ（Ｍは正の整数）個連続して割り当てられるように、コンティニュアルパイロット方式により前記パイロット信号を配置する、ことを特徴とする請求項１に記載の送信装置。
【請求項３】
前記ブロック符号化部は、時空間ブロック符号化された前記データブロックを生成し、
前記ＯＦＤＭシンボル構成部は、パイロットシンボル方式により、（Ｎ×Ｍ＋１）シンボル（Ｍは正の整数）に１回の割合でパイロット信号を配置する、ことを特徴とする請求項１に記載の送信装置。
【請求項４】
前記ブロック符号化部は、時空間ブロック符号化された前記データブロックを生成し、
前記ＯＦＤＭシンボル構成部は、スキャッタードパイロット方式により、（Ｎ×Ｍ＋１）シンボル（Ｍは正の整数）に１回の割合で、かつ、シンボル方向のシフト量が０となるようにパイロット信号を配置する、ことを特徴とする請求項１に記載の送信装置。
【請求項５】
前記ブロック符号化部は、空間周波数ブロック符号化された前記データブロックを生成し、
前記ＯＦＤＭシンボル構成部は、コンティニュアルパイロット方式により、（Ｎ×Ｍ＋１）キャリア（Ｍは正の整数）に１回の割合でパイロット信号を配置する、ことを特徴とする請求項１に記載の送信装置。
【請求項６】
前記ブロック符号化部は、空間周波数ブロック符号化された前記データブロックを生成し、
前記ＯＦＤＭシンボル構成部は、Ｎ個のデータからなる前記データブロックがキャリア方向にＭ（Ｍは正の整数）個連続して割り当てられるように、パイロットシンボル方式により前記パイロット信号を配置する、ことを特徴とする請求項１に記載の送信装置。
【請求項７】
前記ブロック符号化部は、空間周波数ブロック符号化された前記データブロックを生成し、
前記ＯＦＤＭシンボル構成部は、スキャッタードパイロット方式により、（Ｎ×Ｍ＋１）キャリア（Ｍは正の整数）に１回の割合で、かつ、キャリア方向のシフト量が０となるようにパイロット信号を配置する、ことを特徴とする請求項１に記載の送信装置。
【請求項８】
請求項１から７のいずれか一項に記載の送信装置から送信されるデータを受信する受信装置であって、
受信したＯＦＤＭ信号を前記ＯＦＤＭシンボルの構成に従って復調するＯＦＤＭ復調部と、
復調されたＯＦＤＭ信号からデータブロックを復号するブロック符号復号部と、を備える、ことを特徴とする受信装置。
【請求項９】
コンピュータを、請求項１から７のいずれか一項に記載の送信装置として機能させるための送信プログラム。
【請求項１０】
コンピュータを、請求項８に記載の受信装置として機能させるための受信プログラム。
【発明の詳細な説明】
【技術分野】
【０００１】
本発明は、ＯＦＤＭ（Orthogonal Frequency Division Multiplexing：直交周波数分割多重）信号によりデータを送信する送信装置及び該送信装置から送信されたデータを受信する受信装置、並びに、送信プログラム及び受信プログラムに関するものである。
【背景技術】
【０００２】
同一周波数帯域の複数のＯＦＤＭ信号を用いてデータを伝送するシステムにおいて、ある一つのＯＦＤＭ信号のパイロット信号を無信号にして、他のＯＦＤＭ信号の伝送路応答の推定を行う方式が知られている（例えば、特許文献１参照）。
【０００３】
図２５は、２×２のＭＩＭＯ（Multi Input Multi Output）伝送を行うＯＦＤＭ伝送システムを示すブロック図である。このＯＦＤＭ伝送システムは、２本の送信アンテナ１１−１，１１−２を有する送信装置１２と、２本の受信アンテナ２１−１，２１−２を有する受信装置２２とを備え、送信装置１２の送信アンテナ１１−１からパイロット信号のパターン１を送信し、送信アンテナ１１−２からパイロット信号のパターン２を送信する。
【０００４】
図２６は、図２５の場合のパイロットパターンの配置を示す図である。図２６において、「１」で示した部分は、ある有意の値のパイロット信号であり、「０」で示した部分は無信号である。図２６において、シンボル番号ｓ、キャリア（サブキャリア）番号ｃにおけるパイロット信号をＰ（ｓ，ｃ）とおくと、パターン１では、Ｐ（１，１）,Ｐ（２，２）の位置の伝送路応答が求まり、パターン２では、Ｐ（１，２），Ｐ（２，１）の位置の伝送路応答が求まる。
【０００５】
図２７は、４×４のＭＩＭＯ伝送を行うＯＦＤＭ伝送システムを示すブロック図である。このＯＦＤＭ伝送システムは、４本の送信アンテナ３１−１〜３１−４を有する送信装置３２と、４本の受信アンテナ４１−１〜４１−４を有する受信装置４２とを備え、送信装置３２の４本の送信アンテナ３１−１〜３１−４から４つのパターンのパイロット信号を送信する。なお、図２７では、受信装置４２が４本の受信アンテナ４１−１〜４１−４を備える場合を例示しているが、受信アンテナ数は４本以外となる場合もある。
【０００６】
図２８は、図２７の場合のパイロットパターンの配置を示すもので、パイロット信号をシンボル方向に直線状に配置した例を示す図である。図２６の場合と同様に、「１」で示した部分は、ある有意の値のパイロット信号であり、「０」で示した部分は無信号である。図２８においては、４つのＯＦＤＭ信号の異なるキャリアにパイロット信号を挿入しており、ある一つのＯＦＤＭ信号がパイロット信号を送信している区間では、他のＯＦＤＭ信号は無信号となっている。そのため、特別な演算を行うことなく伝送路応答を求めることができる。図２８の場合、４シンボル×４キャリア区間において、４回の伝送路応答を求めることができる。
【０００７】
一方、ＯＦＤＭシンボルにパイロット信号を配置する方式として、一般に３つの方式が知られている。一番目の方式は、コンティニュアルパイロット（ＣＰ）方式である。ＣＰ方式では、図２９に示すように、ある特定のキャリアに、シンボル方向（時間方向）に連続してパイロット信号を配置する。図２９は、８キャリアに１回の割合で、パイロット信号を配置する場合を例示したものである。
【０００８】
二番目の方式は、パイロットシンボル方式である。パイロットシンボル方式では、図３０に示すように、ある特定のシンボルに、キャリア方向（周波数方向）に連続してパイロット信号を配置する。図３０は、４シンボルに１回の割合で、パイロット信号を配置する場合を例示したものである。
【０００９】
三番目の方式は、スキャッタードパイロット（ＳＰ）方式である。ＳＰ方式では、図３１に示すように、ある特定のキャリア、シンボルにパイロット信号を分散させて配置する。図３１は、１２キャリアに１回、４シンボルに１回の割合でパイロット信号を配置する場合を例示したものである。ＳＰ方式は、地上デジタルテレビジョン放送の伝送方式（ＡＲＩＢ ＳＴＤ−Ｂ３１）にも採用されている。なお、パイロット信号を配置する方式は、上記の３つの方式に限らない。
【００１０】
以上のように、同一の周波数で複数のＯＦＤＭ信号を用いてデータを伝送するシステムでは、図２９〜図３１に示したようにパイロット信号の配置を予め決定する必要がある。そして、送信装置では、決定された配置に対し、図２６や図２８のようなパイロットパターンに基づいて、特定の値を割り当てることが行われる。また、受信装置では、予め決められたパイロット信号の配置のパイロットパターンに基づいて、伝送路応答を推定することが行われる。
【００１１】
ところで、ＯＦＤＭ信号により伝送するデータのブロック符号化として、例えば、Alamoutiの時空間ブロック符号化（ＳＴＢＣ：Space Time Block Coding）が知られている。Alamoutiの時空間ブロック符号化行列は、以下の式（１）で表される。なお、式（１）において、＊は複素共役を表す。
【００１２】
【数１】
2013236227.tif 000003
【００１３】
式（１）において、行列Ａの行は、送信アンテナ番号に対応する。したがって、行列Ａは、図２５に示したように２本の送信アンテナで信号を送信する際に用いられる。また、行列Ａの列は、シンボル番号（時間）に対応する。式（１）に基づいて時空間ブロック符号化されたデータを、複数のＯＦＤＭ信号で伝送する場合、送受信装置においては、パイロット信号の配置を決定する必要がある。
【００１４】
例えば、図３１に示したＳＰ方式によりデータを伝送する場合、時空間ブロック符号化されたデータは、図３１において「データ」と表記されている位置に割り振られる。したがって、図２５に示したように２本の送信アンテナで信号を送信する場合、それぞれのアンテナから送信されるデータは、図３２にアンテナ１及びアンテナ２でそれぞれ示すように「データ」と表記されている位置に割り振られることになる。
【００１５】
ここで、式（１）の時空間ブロック符号化は、２つのＯＦＤＭシンボルが組として処理される。したがって、図３２の場合、シンボル番号（１、２）が組となり、（３、４）、（５、６）、・・・がそれぞれ組となる。なお、図３２には、キャリア番号２番、シンボル番号（１、２）に割り当てられるデータの例を表記した。
【００１６】
しかしながら、図３２において「×」で示した位置は、組となる位置にパイロット信号が配置されている。そのため、「×」で示した位置には、時空間ブロック符号化されたデータを割り振ることができない。この点に関して、図３２の「×」で示した位置にパイロット信号を配置する方法が知られている（例えば、特許文献２参照）。しかし、この方法では、パイロット信号が増加する分、受信装置で得られる伝送路応答の推定精度を向上することが可能となるが、全信号に占めるパイロット信号の比率が増えるため、データの伝送容量が低下することになる。なお、同様の問題は、空間周波数ブロック符号化されたデータを伝送する場合にも生じる。
【先行技術文献】
【特許文献】
【００１７】
【特許文献１】特開２００４−９６１８６号公報
【特許文献２】特表２００８−５３３８０１号公報
【発明の概要】
【発明が解決しようとする課題】
【００１８】
したがって、上述した観点に鑑みてなされた本発明の目的は、伝送容量の低下及び伝送路応答の推定精度の低下を招くことなく、ブロック符号化されたデータを伝送可能な送信装置及び該送信装置から送信されたデータを受信する受信装置、並びに、送信プログラム及び受信プログラムを提供することにある。
【課題を解決するための手段】
【００１９】
上記課題を解決するため、本発明に係る送信装置は、ＯＦＤＭ信号によりデータを送信する送信装置であって、Ｎ（Ｎは２以上の正の整数）個のデータからなるデータブロックを生成するブロック符号化部と、伝送路応答推定のためのパイロット信号を生成するパイロット信号生成部と、前記データブロック及び前記パイロット信号により前記ＯＦＤＭ信号のＯＦＤＭシンボルを構成するＯＦＤＭシンボル構成部と、を備え、前記ＯＦＤＭシンボル構成部は、前記データブロックが前記ＯＦＤＭシンボルの隣接するデータキャリアシンボルに割り当てられるように、前記パイロット信号を配置する、ことを特徴とする。
【００２０】
さらに、本発明に係る送信装置において、前記ブロック符号化部は、時空間ブロック符号化された前記データブロックを生成し、前記ＯＦＤＭシンボル構成部は、Ｎ個のデータからなる前記データブロックがシンボル方向にＭ（Ｍは正の整数）個連続して割り当てられるように、コンティニュアルパイロット方式により前記パイロット信号を配置する、ことを特徴とする。
【００２１】
さらに、本発明に係る送信装置において、前記ブロック符号化部は、時空間ブロック符号化された前記データブロックを生成し、前記ＯＦＤＭシンボル構成部は、パイロットシンボル方式により、（Ｎ×Ｍ＋１）シンボル（Ｍは正の整数）に１回の割合でパイロット信号を配置する、ことを特徴とする。
【００２２】
さらに、本発明に係る送信装置において、前記ブロック符号化部は、時空間ブロック符号化された前記データブロックを生成し、前記ＯＦＤＭシンボル構成部は、スキャッタードパイロット方式により、（Ｎ×Ｍ＋１）シンボル（Ｍは正の整数）に１回の割合で、かつ、シンボル方向のシフト量が０となるようにパイロット信号を配置する、ことを特徴とする。
【００２３】
さらに、本発明に係る送信装置において、前記ブロック符号化部は、空間周波数ブロック符号化された前記データブロックを生成し、前記ＯＦＤＭシンボル構成部は、コンティニュアルパイロット方式により、（Ｎ×Ｍ＋１）キャリア（Ｍは正の整数）に１回の割合でパイロット信号を配置する、ことを特徴とする。
【００２４】
さらに、本発明に係る送信装置において、前記ブロック符号化部は、空間周波数ブロック符号化された前記データブロックを生成し、前記ＯＦＤＭシンボル構成部は、Ｎ個のデータからなる前記データブロックがキャリア方向にＭ（Ｍは正の整数）個連続して割り当てられるように、パイロットシンボル方式により前記パイロット信号を配置する、ことを特徴とする。
【００２５】
さらに、本発明に係る送信装置において、前記ブロック符号化部は、空間周波数ブロック符号化された前記データブロックを生成し、前記ＯＦＤＭシンボル構成部は、スキャッタードパイロット方式により、（Ｎ×Ｍ＋１）キャリア（Ｍは正の整数）に１回の割合で、かつ、キャリア方向のシフト量が０となるようにパイロット信号を配置する、ことを特徴とする。
【００２６】
また、上記課題を解決するため、本発明に係る受信装置は、請求項１から７のいずれか一項に記載の送信装置から送信されるデータを受信する受信装置であって、受信したＯＦＤＭ信号を前記ＯＦＤＭシンボルの構成に従って復調するＯＦＤＭ復調部と、復調されたＯＦＤＭ信号からデータブロックを復号するブロック符号復号部と、を備える、ことを特徴とする。
【００２７】
また、上記課題を解決するため、本発明に係る送信プログラムは、コンピュータを、上記いずれかの送信装置として機能させる。
【００２８】
また、上記課題を解決するため、本発明に係る受信プログラムは、コンピュータを、上記受信装置として機能させる。
【発明の効果】
【００２９】
本発明によれば、伝送容量の低下及び伝送路応答の推定精度の低下を招くことなく、ブロック符号化されたデータの伝送及びその受信が可能となる。
【図面の簡単な説明】
【００３０】
【図１】第１実施の形態に係る送信装置によるＯＦＤＭシンボル構成を示す図である。
【図２】図１のＯＦＤＭシンボルの構成方法を示すフローチャートである。
【図３】第２実施の形態に係る送信装置によるＯＦＤＭシンボル構成を示す図である。
【図４】図３のＯＦＤＭシンボルの構成方法を示すフローチャートである。
【図５】第３実施の形態に係る送信装置によるＯＦＤＭシンボル構成を示す図である。
【図６】図５のＯＦＤＭシンボルの構成方法を示すフローチャートである。
【図７】第４実施の形態に係る送信装置によるＯＦＤＭシンボル構成を示す図である。
【図８】図７のＯＦＤＭシンボルの構成方法を示すフローチャートである。
【図９】第５実施の形態に係る送信装置によるＯＦＤＭシンボル構成を示す図である。
【図１０】図９のＯＦＤＭシンボルの構成方法を示すフローチャートである。
【図１１】第６実施の形態に係る送信装置によるＯＦＤＭシンボル構成を示す図である。
【図１２】図１１のＯＦＤＭシンボルの構成方法を示すフローチャートである。
【図１３】第７実施の形態に係る送信装置の要部の構成を示す機能ブロック図である。
【図１４】図１３のＯＦＤＭ変調部の要部の構成を示す機能ブロック図である。
【図１５】第８実施の形態に係る送信装置の要部の構成を示す機能ブロック図である。
【図１６】図１５のＯＦＤＭ変調部の要部の構成を示す機能ブロック図である。
【図１７】第９実施の形態に係る送信装置の要部の構成を示す機能ブロック図である。
【図１８】図１７のＯＦＤＭ変調部の要部の構成を示す機能ブロック図である。
【図１９】第１０実施の形態に係る受信装置の要部の構成を示す機能ブロック図である。
【図２０】図１９のＯＦＤＭ復調部の要部の構成を示す機能ブロック図である。
【図２１】第１１実施の形態に係る受信装置の要部の構成を示す機能ブロック図である。
【図２２】図２１のＯＦＤＭ復調部の要部の構成を示す機能ブロック図である。
【図２３】第１２実施の形態に係る受信装置の要部の構成を示す機能ブロック図である。
【図２４】図２３のＯＦＤＭ復調部の要部の構成を示す機能ブロック図である。
【図２５】２×２のＭＩＭＯ伝送を行うＯＦＤＭ伝送システムを示すブロック図である。
【図２６】図２５の場合のパイロットパターンの配置を示す図である。
【図２７】４×４のＭＩＭＯ伝送を行うＯＦＤＭ伝送システムを示すブロック図である。
【図２８】図２７の場合のパイロットパターンの配置を示す図である。
【図２９】ＣＰ方式のパイロット信号の配置を示す図である。
【図３０】パイロットシンボル方式のパイロット信号の配置を示す図である。
【図３１】ＳＰ方式のパイロット信号の配置を示す図である。
【図３２】２本の送信アンテナで時空間ブロック符号化されたデータを送信する場合のデータの割り当てを示す図である。
【発明を実施するための形態】
【００３１】
以下、本発明の実施の形態について、図を参照して説明する。最初に、本発明に係る送信装置によるＯＦＤＭ信号のシンボル構成について説明する。なお、以下の説明において、データが割り当てられるシンボル番号、キャリア番号に位置するシンボルは、データキャリアシンボルと呼ぶ。また、説明の便宜上、ブロック符号化において、１つのブロックとして扱われる組となるデータ数Ｎ（Ｎは２以上の正の整数）を、Ｎ＝２とする。Ｎ＝２の場合、式（１）のAlamoutiの時空間ブロック符号化などを利用することができる。また、以下に示すＯＦＤＭシンボルの構成図において、パイロット信号はハッチングを施して示し、データは白抜きで示し、データブロックは太枠で示す。
【００３２】
先ず、第１実施の形態〜第３実施の形態として、時空間ブロック符号化により時間方向にブロック符号化されたデータを伝送する場合のＯＦＤＭシンボル構成について説明する。
【００３３】
（第１実施の形態）
図１は、本発明の第１実施の形態に係る送信装置によるＯＦＤＭシンボル構成を示す図である。本実施の形態に係る送信装置は、２データキャリアシンボルで時空間ブロック符号化を行って、ＣＰ方式によりデータを伝送するものである。ＣＰ方式では、データキャリアシンボルがシンボル方向に並ぶ。そのため、本実施の形態では、図１に示すように、シンボル数をデータブロックの複数周期分として、データブロックを複数個並べて配置する。図１は、ある一つのキャリアにデータブロックが整数個並ぶ例を図示している。
【００３４】
図２は、第１実施の形態によるＯＦＤＭシンボルの構成方法を示すフローチャートである。先ず、データブロックを構成するデータ数Ｎを決定する（ステップＳ２１）。図１の場合、Ｎ＝２である。次に、時間方向に連続して配置するデータブロック数Ｍ（Ｍは正の整数）を決定する（ステップＳ２２）。その後、パイロットキャリア番号Ｚを決定したら（ステップＳ２３）、Ｚを除いてシンボル方向にＭ個のデータブロックを配置する（ステップＳ２４）。
【００３５】
本実施の形態によると、ＯＦＤＭ信号の一周期を構成するＯＦＤＭシンボル数がＮ×Ｍ個となり、各データブロックを構成するデータが時間方向に連続する。また、パイロット信号は、ＣＰ方式により特定のパイロットキャリア番号Ｚに割り当てられる。したがって、送信装置においては、伝送容量の低下を招くことなくデータを伝送でき、受信装置においては伝送路応答の推定精度の低下を招くことなく受信データを復調することができる。
【００３６】
（第２実施の形態）
図３は、本発明の第２実施の形態に係る送信装置によるＯＦＤＭシンボル構成を示す図である。本実施の形態に係る送信装置は、２データキャリアシンボルで時空間ブロック符号化を行って、パイロットシンボル方式によりデータを伝送するものである。パイロットシンボル方式では、特定のシンボルに、キャリア方向に連続してパイロット信号を配置する。そのため、本実施の形態では、図３に示すように、（Ｎ×Ｍ＋１）シンボルに１回の割合でパイロットシンボルを配置して、データブロックをシンボル方向に並べて配置する。図３は、Ｎ＝２、Ｍ＝２とした場合を例示している。
【００３７】
図４は、第２実施の形態によるＯＦＤＭシンボルの構成方法を示すフローチャートである。先ず、データブロックを構成するデータ数Ｎを決定する（ステップＳ４１）。図３の場合、Ｎ＝２である。次に、時間方向に連続して配置するデータブロック数Ｍを決定する（ステップＳ４２）。図３の場合、Ｍ＝２である。その後、パイロットシンボル番号Ｚを（Ｎ×Ｍ＋１）周期で決定したら（ステップＳ４３）、Ｚを除いてシンボル方向にＭ個のデータブロックを並べて配置する（ステップＳ４４）。
【００３８】
本実施の形態によると、パイロットシンボルが、（Ｎ×Ｍ＋１）シンボルに１回の割合で配置され、各データブロックを構成するデータが時間方向に連続する。したがって、パイロットシンボル間に配置するデータブロック数Ｍを適切に設定することにより、送信装置によるデータの伝送容量の低下、及び受信装置における伝送路応答の推定精度の低下を招くことなくデータを伝送することができる。
【００３９】
（第３実施の形態）
図５は、本発明の第３実施の形態に係る送信装置によるＯＦＤＭシンボル構成を示す図である。本実施の形態に係る送信装置は、２データキャリアシンボルで時空間ブロック符号化を行って、ＳＰ方式によりデータを伝送するものである。ＳＰ方式では、特定のキャリア、シンボルにパイロット信号を分散させて配置する。そのため、本実施の形態では、図５に示すように、あるキャリアについて、（Ｎ×Ｍ＋１）シンボルに１回の割合でスキャッタードパイロットを配置する。また、当該キャリアにおけるスキャッタードパイロットの位置を、シンボル方向のシフト量をｘ、キャリア方向のシフト量をｙとするとき、ｘ＝０、ｙ＝３シフトした位置毎に、スキャッタードパイロットを配置する。図５は、Ｎ＝２、Ｍ＝２、シンボル数を１０として、キャリア番号（３ｋ＋１）（ｋは、０及び正の整数）について、シンボル番号１及び６にスキャッタードパイロットを配置した場合を例示している。
【００４０】
図６は、第３実施の形態によるＯＦＤＭシンボルの構成方法を示すフローチャートである。先ず、データブロックを構成するデータ数Ｎを決定する（ステップＳ６１）。図５の場合、Ｎ＝２である。次に、時間方向に連続して配置するデータブロック数Ｍを決定する（ステップＳ６２）。図５の場合、Ｍ＝２である。その後、あるキャリアについてスキャッタードパイロットを配置するシンボル番号Ｚを（Ｎ×Ｍ＋１）周期で決定する（ステップＳ６３）。次に、ステップＳ６３で決定したスキャッタードパイロットをシンボル方向にｘ＝０、キャリア方向にｙシフトする毎の位置をスキャッタードパイロット位置に決定する（ステップＳ６４）。その後、スキャッタードパイロット位置を除いて、シンボル方向にＭ個のデータブロックを配置する（ステップＳ６５）。
【００４１】
本実施の形態によると、各キャリアに対して、各データブロックを時間方向に連続して配置することができる。しかも、スキャッタードパイロットが割り当てられないキャリアについては、より多くのデータブロックを配置することができる。したがって、送信装置においては、データの伝送容量を向上でき、受信装置においては伝送路応答の推定精度の低下を招くことなく受信データを復調することができる。
【００４２】
次に、第４実施の形態〜第６実施の形態として、式（１）のAlamoutiの時空間ブロック符号を用いて、空間周波数ブロック符号化（ＳＦＢＣ：Space Frequency Block Coding）されたデータを伝送する場合のＯＦＤＭシンボル構成について説明する。ＳＦＢＣでは、キャリア方向のデータキャリアシンボルを組としてデータブロックを構成する。
【００４３】
（第４実施の形態）
図７は、本発明の第４実施の形態に係る送信装置によるＯＦＤＭシンボル構成を示す図である。本実施の形態に係る送信装置は、２データキャリアシンボルで空間周波数ブロック符号化を行って、ＣＰ方式によりデータを伝送するものである。ＣＰ方式では、データキャリアシンボルがシンボル方向に並ぶ。そのため、本実施の形態では、図７に示すように、（Ｎ×Ｍ＋１）キャリアに１回の割合でパイロット信号を配置する。図７は、Ｎ＝２、Ｍ＝４とした場合を例示している。
【００４４】
図８は、第４実施の形態によるＯＦＤＭシンボルの構成方法を示すフローチャートである。先ず、データブロックを構成するデータ数Ｎを決定する（ステップＳ８１）。図７の場合、Ｎ＝２である。次に、キャリア方向に連続して配置するデータブロック数Ｍを決定する（ステップＳ８２）。図７の場合、Ｍ＝４である。その後、パイロットキャリア番号Ｚを（Ｎ×Ｍ＋１）周期で決定したら（ステップＳ８３）、Ｚを除いてキャリア方向にＭ個のデータブロックを並べて配置する（ステップＳ８４）。
【００４５】
本実施の形態によると、パイロット信号が、（Ｎ×Ｍ＋１）キャリアに１回の割合で配置され、各データブロックを構成するデータがキャリア方向に連続する。したがって、パイロット信号間に配置するデータブロック数Ｍを適切に設定することにより、送信装置によるデータの伝送容量の低下、及び受信装置における伝送路応答の推定精度の低下を招くことなくデータを伝送することができる。
【００４６】
（第５実施の形態）
図９は、本発明の第５実施の形態に係る送信装置によるＯＦＤＭシンボル構成を示す図である。本実施の形態に係る送信装置は、２データキャリアシンボルで空間周波数ブロック符号化を行って、パイロットシンボル方式によりデータを伝送するものである。パイロットシンボル方式では、特定のシンボルに、キャリア方向に連続してパイロット信号を配置する。そのため、本実施の形態では、図９に示すように、キャリア数をデータブロックの複数周期分として、データブロックをキャリア方向に複数個並べて配置する。図９は、Ｎ＝２の場合を例示している。
【００４７】
図１０は、第５実施の形態によるＯＦＤＭシンボルの構成方法を示すフローチャートである。先ず、データブロックを構成するデータ数Ｎを決定する（ステップＳ１０１）。図９の場合は、Ｎ＝２である。次に、キャリア方向に連続して配置するデータブロック数Ｍを決定する（ステップＳ１０２）。その後、パイロットシンボル番号Ｚを決定したら（ステップＳ１０３）、Ｚを除いてキャリア方向にＭ個のデータブロックを配置する（ステップＳ１０４）。
【００４８】
本実施の形態によると、ＯＦＤＭ信号の一周期を構成するキャリア数がＮ×Ｍ個となり、各データブロックを構成するデータがキャリア方向に連続する。また、パイロット信号は、パイロットシンボル方式により特定のパイロットシンボル番号Ｚに割り当てられる。したがって、送信装置においては、伝送容量の低下を招くことなくデータを伝送でき、受信装置においては伝送路応答の推定精度の低下を招くことなく受信データを復調することができる。
【００４９】
（第６実施の形態）
図１１は、本発明の第６実施の形態に係る送信装置によるＯＦＤＭシンボル構成を示す図である。本実施の形態に係る送信装置は、２データキャリアシンボルで空間周波数ブロック符号化を行って、ＳＰ方式によりデータを伝送するものである。ＳＰ方式では、特定のキャリア、シンボルにパイロット信号を分散させて配置する。そのため、本実施の形態では、図１１に示すように、あるシンボルについて、（Ｎ×Ｍ＋１）キャリアに１回の割合でスキャッタードパイロットを配置する。また、当該シンボルにおけるスキャッタードパイロットの位置を、シンボル方向のシフト量をｘ、キャリア方向のシフト量をｙとするとき、ｘ＝２、ｙ＝０シフトした位置毎に、スキャッタードパイロットを配置する。図１１は、Ｎ＝２、Ｍ＝７として、シンボル番号（２ｋ＋１）（ｋは、０及び正の整数）について、キャリア番号１及び１６にスキャッタードパイロットを配置した場合を例示している。
【００５０】
図１２は、第６実施の形態によるＯＦＤＭシンボルの構成方法を示すフローチャートである。先ず、データブロックを構成するデータ数Ｎを決定する（ステップＳ１２１）。図１１の場合、Ｎ＝２である。次に、キャリア方向に連続して配置するデータブロック数Ｍを決定する（ステップＳ１２２）。図１１の場合、Ｍ＝７である。その後、あるシンボルについてスキャッタードパイロットを配置するキャリア番号Ｚを（Ｎ×Ｍ＋１）周期で決定する（ステップＳ１２３）。次に、ステップＳ１２３で決定したスキャッタードパイロットをシンボル方向にｘ、キャリア方向にｙ＝０シフトする毎の位置をスキャッタードパイロット位置に決定する（ステップＳ１２４）。その後、スキャッタードパイロット位置を除いて、キャリア方向にＭ個のデータブロックを配置する（ステップＳ１２５）。
【００５１】
本実施の形態によると、各シンボルに対して、各データブロックをキャリア方向に連続して配置することができる。しかも、スキャッタードパイロットが割り当てられないシンボルについては、より多くのデータブロックを配置することができる。したがって、送信装置においては、データの伝送容量を向上でき、受信装置においては伝送路応答の推定精度の低下を招くことなく受信データを復調することができる。
【００５２】
次に、上述した実施の形態で説明した送信装置及び該送信装置から送信されたデータを受信する受信装置の実施の形態について説明する。なお、以下の実施の形態では、送信アンテナ数が１本、２本、４本の場合の送信装置と、受信アンテナ数が１本、２本、４本の場合の受信装置とについて説明するが、送信・受信アンテナ数は、これらに限らない。また、これらの送信装置及び受信装置は、ＳＩＳＯ（Single Input Single Output）、ＳＩＭＯ（Single Input Multiple Output）、ＭＩＳＯ（Multiple Input Single Output）、ＭＩＭＯの伝送形態に応じて、組み合わせが決定される。例えば、Alamouti符号を用いて時空間ブロック符号化又は空間周波数ブロック符号化を行う場合は、一般に、送信アンテナ数が２本の送信装置となる。また、H.JafarkahniによるＳＴＢＣ符号（例えば、“A quasi-orthogonal space-time block code”, IEEE Transactions on Communications, vol49, no.1, pp.1-4, Jan 2001、参照）を用いて時空間ブロック符号化又は空間周波数ブロック符号化を行う場合は、一般に、送信アンテナ数が４本の送信装置となる。
【００５３】
先ず、第７実施の形態〜第９実施の形態として、送信アンテナ数が１本、２本、４本の送信装置について説明する。
【００５４】
（第７実施の形態）
図１３は、本発明の第７実施の形態に係る送信装置の要部の構成を示す機能ブロック図である。本実施の形態に係る送信装置１００は、１本の送信アンテナ１１０からＯＦＤＭ信号を送信するもので、誤り訂正符号化部１２０、キャリア変調部１３０、ブロック符号化部１４０、ＯＦＤＭ変調部１５０、ＲＦ（Radio Frequency）部１６０を備える。
【００５５】
送信装置１００に入力される送信信号（ビットストリーム）は、誤り訂正符号化部１２０で誤り訂正符号化されて、キャリア変調部１３０に入力される。誤り訂正符号化部１２０は、例えば、外符号としてＢＣＨ（Bose Chaudhuri Hocquenghem）符号を用い、内符号としてＬＤＰＣ(Low Density Parity Check)符号が用いて、送信信号を誤り訂正符号化する。
【００５６】
キャリア変調部１３０は、誤り訂正符号化された送信信号を、キャリア（サブキャリア）毎に所定の変調方式に応じてＩＱ平面へのマッピングを行って、ブロック符号化部１４０に出力する。
【００５７】
ブロック符号化部１４０は、キャリア変調部１３０から入力される送信信号を、例えば、Alamouti符号を用いて、キャリア毎に時空間ブロック符号化又は空間周波数ブロック符号化してＯＦＤＭ変調部１５０に出力する。
【００５８】
ＯＦＤＭ変調部１５０は、ブロック符号化１４０から入力されるデータブロックからＯＦＤＭ信号を生成して、ＲＦ部１６０に出力する。
【００５９】
図１４は、ＯＦＤＭ変調部１５０の要部の構成を示す機能ブロック図である。ＯＦＤＭ変調部１５０は、パイロット信号生成部１５１、ＯＦＤＭシンボル構成部１５２、ＩＦＦＴ（Inverse Fast Fourier Transform）部１５３、ＧＩ（Guard Interval）付加部１５４、直交変調部１５５、Ｄ／Ａ（Digital/Analog）変換部１５６を備える。
【００６０】
パイロット信号生成部１５１は、予め定められた振幅と位相を有するパイロット信号を生成して、ＯＦＤＭシンボル構成部１５２に出力する。
【００６１】
ＯＦＤＭシンボル構成部１５２は、予め定められた第１実施の形態〜第６実施の形態のいずれかのＯＦＤＭシンボル構成に従って、図１３のブロック符号化部１４０から入力されるデータブロックに対して、パイロット信号生成部１５０から入力されるパイロット信号を挿入してＯＦＤＭシンボルを生成し、ＩＦＦＴ部１５３に出力する。本実施の形態では、１本の送信アンテナ１１０を用いるので、入力されるデータブロックが、例えば、式（１）から得られる時空間ブロック符号化された２つのデータブロックの場合は、１つのＯＦＤＭシンボル構成の中で、２つのデータブロックを同一キャリア番号にシンボル方向に連続して配置する、もしくは２つのデータブロックを隣接するキャリア番号の連続する同一のシンボル番号に並べて配置する。また、式（１）用いて得られる空間周波数ブロック符号化されたものである場合は、１つのＯＦＤＭシンボル構成の中で、２つのデータブロックを同一シンボル番号にキャリア方向に連続して配置する、もしくは２つのデータブロックを隣接するシンボル番号の連続する同一のキャリア番号に並べて配置する。あるいは、２つのデータブロックを、順次のＯＦＤＭシンボル構成において、つまり順次のフレームにおいて、時空間ブロック符号化又は空間周波数ブロック符号化に応じて、同一キャリア番号及び同一シンボル番号に連続して配置する。
【００６２】
ＩＦＦＴ部１５３は、ＯＦＤＭシンボル構成部１５２から入力されるＯＦＤＭシンボルに対して、ＩＦＦＴ（逆高速フーリエ変換）処理を施して時間領域の有効シンボル信号を生成し、ＧＩ付加部１５４に出力する。
【００６３】
ＧＩ付加部１５４は、ＩＦＦＴ部１５３から入力される有効シンボル信号の先頭に、有効シンボル信号の後半部分をコピーしたガードインターバルを挿入し、直交変調部１５５に出力する。ガードインターバルは、ＯＦＤＭ信号を受信する際にシンボル間干渉を低減させるために挿入されるものであり、マルチパス遅延波の遅延時間がガードインターバル長を超えないように設定される。
【００６４】
直交変調部１５５は、ＧＩ付加部１５４から入力されるベースバンド信号に対して直交変調処理を施してＯＦＤＭ信号を生成し、Ｄ／Ａ変換部１５６に出力する。
【００６５】
Ｄ／Ａ変換部１５６は、直交変調部１５５から入力されるＯＦＤＭ信号をアナログ信号に変換して、図１３のＲＦ部１６０に出力する。
【００６６】
ＲＦ部１６０は、ＯＦＤＭ変調部１５０から入力されるＯＦＤＭ信号を所定の無線周波数帯域に変換して送信アンテナ１１０から輻射させる。
【００６７】
（第８実施の形態）
図１５は、本発明の第８実施の形態に係る送信装置の要部の構成を示す機能ブロック図である。本実施の形態に係る送信装置１０１は、２本の送信アンテナ１１０−１，１１０−２から同一周波数帯域の複数のＯＦＤＭ信号を送信するものである。そのため、送信装置１０１は、図１３に示した送信装置１００の構成において、２本の送信アンテナ１１０−１，１１０−２に対応する２つのＲＦ部１６０−１，１６０−２を備える。
【００６８】
また、ＯＦＤＭ変調部１５０は、図１６に示すように、２本の送信アンテナ１１０−１，１１０−２に対応する、２つのＩＦＦＴ部１５３−１，１５３−２、２つのＧＩ付加部１５４−１，１５４−２、２つの直交変調部１５５−１，１５５−２、２つのＤ／Ａ変換部１５６−１，１５６−２を備える。
【００６９】
ＯＦＤＭシンボル構成部１５２は、予め定められた第１実施の形態〜第６実施の形態のいずれかのＯＦＤＭシンボル構成に従って、ブロック符号化部１４０から入力されるデータブロックに対して、パイロット信号生成部１５1から入力されるパイロット信号を挿入して、２本の送信アンテナ１１０−１，１１０−２に対応する２系統のＯＦＤＭシンボルを生成する。本実施の形態では、２本の送信アンテナ１１０−１，１１０−２を用いるので、入力されるデータブロックが、例えば、式（１）から得られる時空間ブロック符号化された２つのデータブロックの場合は、２つのデータブロックを送信アンテナ毎に振り分けて、各々のＯＦＤＭシンボル構成において、同一キャリア番号の連続する同一のシンボル番号に配置する。また、式（１）を用いて得られる空間周波数ブロック符号化されたものである場合は、２つのデータブロックを送信アンテナ毎に振り分けて、各々のＯＦＤＭシンボル構成において、同一シンボル番号の連続する同一のキャリア番号に配置する。
【００７０】
ＯＦＤＭシンボル構成部１５２において、送信アンテナ毎に構成されたＯＦＤＭシンボルは、対応するＩＦＦＴ部１５３−１，１５３−２、ＧＩ付加部１５４−１，１５４−２、直交変調部１５５−１，１５５−２、Ｄ／Ａ変換部１５６−１，１５６−２及びＲＦ部１６０−１，１６０−２を経て、所定の無線周波数帯域の電波として２本の送信アンテナ１１０−１，１１０−２から輻射される。その他の構成は、図１３に示した送信装置１００と同様である。
【００７１】
（第９実施の形態）
図１７は、本発明の第９実施の形態に係る送信装置の要部の構成を示す機能ブロック図である。本実施の形態に係る送信装置１０２は、４本の送信アンテナ１１０−１〜１１０−４から同一周波数帯域の複数のＯＦＤＭ信号を送信するものである。そのため、送信装置１０２は、図１３に示した送信装置１００の構成において、４本の送信アンテナ１１０−１〜１１０−４に対応する４つのＲＦ部１６０−１〜１６０−４を備える。
【００７２】
また、ＯＦＤＭ変調部１５０は、図１８に示すように、４本の送信アンテナ１１０−１〜１１０−４に対応する、４つのＩＦＦＴ部１５３−１〜１５３−４、４つのＧＩ付加部１５４−１〜１５４−４、４つの直交変調部１５５−１〜１５５−４、４つのＤ／Ａ変換部１５６−１〜１５６−４を備える。
【００７３】
ＯＦＤＭシンボル構成部１５２は、予め定められた第１実施の形態〜第６実施の形態のいずれかのＯＦＤＭシンボル構成に従って、ブロック符号化部１４０から入力されるデータブロックに対して、パイロット信号生成部１５１から入力されるパイロット信号を挿入して、４本の送信アンテナ１１０−１〜１１０−４に対応する４系統のＯＦＤＭシンボルを生成する。本実施の形態では、４本の送信アンテナ１１０−１〜１１０−４を用いるので、入力されるデータブロックが、例えば、上述したH.JafarkahniによるＳＴＢＣ符号による場合は、データブロックを送信アンテナ毎に振り分けて、各々のＯＦＤＭシンボル構成において、時空間ブロック符号化又は空間周波数ブロック符号化に応じて、同一キャリア番号及び同一シンボル番号に連続して配置する。
【００７４】
ＯＦＤＭシンボル構成部１５２において、送信アンテナ毎に構成されたＯＦＤＭシンボルは、対応するＩＦＦＴ部１５３−１〜１５３−４、ＧＩ付加部１５４−１〜１５４−４、直交変調部１５５−１〜１５５−４、Ｄ／Ａ変換部１５６−１〜１５６−４及びＲＦ部１６０−１〜１６０−４を経て、所定の無線周波数帯域の電波として４本の送信アンテナ１１０−１〜１１０−４から輻射される。その他の構成は、図１３に示した送信装置１００と同様である。
【００７５】
第７実施の形態〜第９実施の形態に係る送信装置１００〜１０２によると、ＯＦＤＭ変調部１５０のＯＦＤＭシンボル構成部１５２において、第１実施の形態〜第６実施の形態のいずれかのＯＦＤＭシンボル構成に従って、データブロックがシンボル方向又はキャリア方向に連続して配置されるので、簡単な構成で、伝送容量の低下、及び伝送路応答の推定精度の低下を招くことなくブロック符号化されたデータを伝送することが可能となる。
【００７６】
なお、上述した送信装置１００〜１０２は、コンピュータを用いて機能させることもできる。この場合、コンピュータは、送信装置の各機能を実現する処理内容を記述した送信プログラムを、当該コンピュータの記憶部に格納しておき、当該コンピュータのＣＰＵによってこの送信プログラムを読み出して実行させることで、送信装置を実現することができる。
【００７７】
次に、第１０実施の形態〜第１２実施の形態として、受信アンテナ数が１本、２本、４本の受信装置について説明する。
【００７８】
（第１０実施の形態）
図１９は、本発明の第１０実施の形態に係る受信装置の要部の構成を示す機能ブロック図である。本実施の形態に係る受信装置２００は、１本の受信アンテナ２１０を用いてＯＦＤＭ信号を受信するもので、ＲＦ部２２０、ＯＦＤＭ復調部２３０、ブロック符号復号部２４０、キャリア復調部２５０、誤り訂正符号復号部２６０を備える。
【００７９】
ＲＦ部２２０は、受信アンテナ２１０で受信された受信信号から、所定の無線周波数帯域のＯＦＤＭ信号を規定周波数、規定レベルのＯＦＤＭ信号に変換してＯＦＤＭ復調部２３０に出力する。
【００８０】
図２０は、ＯＦＤＭ復調部２３０の要部の構成を示す機能ブロック図である。ＯＦＤＭ復調部２３０は、Ａ／Ｄ変換部２３１、直交復調部２３２、ＧＩ除去部２３３、ＦＦＴ（Fast Fourier Transform）部２３４、パイロット信号抽出部２３５、伝送路応答推定部２３６を備える。
【００８１】
Ａ／Ｄ変換部２３１は、ＲＦ部２２０から入力されるアナログ信号をデジタル信号に変換し、直交復調部２３２に出力する。
【００８２】
直交復調部２３２は、Ａ／Ｄ変換部２３１から入力される信号を直交復調して、ベースバンド信号を生成し、ＧＩ除去部２３３に出力する。
【００８３】
ＧＩ除去部２３３は、直交復調部２３２から入力されるベースバンド信号に対して、ガードインターバルを除去して有効シンボル信号を抽出し、ＦＦＴ部２３４に出力する。
【００８４】
ＦＦＴ部２３４は、ＧＩ除去部２３３から入力される有効シンボル信号に対して、ＦＦＴ処理を施して、周波数領域の複素ベースバンド信号を生成する。この複素ベースバンド信号は、パイロット信号抽出部２３５に出力されるとともに、図１９のブロック符号復号部２４０に出力される。
【００８５】
パイロット信号抽出部２３５は、ＦＦＴ部２３４から入力される複素ベースバンド信号から、予め定められた第１実施の形態〜第６実施の形態のいずれかのＯＦＤＭシンボル構成に従って、パイロット信号を抽出して伝送路応答推定部２３６に出力する。
【００８６】
伝送路応答推定部２３６は、パイロット信号抽出部２３５において抽出されたパイロット信号を用いて伝送路応答を推定し、その結果を図１９のブロック符号復号部２４０に出力する。
【００８７】
図１９において、ブロック符号復号部２４０は、ＯＦＤＭ復調部２３０から入力される複素ベースバンド信号及び伝送路応答の推定結果に基づいて、ブロック符号を復号し、復号結果をキャリア復調部２５０に出力する。出力される復号結果は、ブロック符号および誤り訂正符号の組み合わせによって異なり、複素ベースバンド信号やLLR（Log Likelihood Ratio）などとなる。
【００８８】
キャリア復調部２５０は、ブロック符号復号部２４０から入力される復号結果を用いて、サブキャリア毎に復調を行い、誤り訂正符号復号部２６０にIQデータやLLRなどを出力する。
【００８９】
誤り訂正符号復号部２６０は、キャリア復調部２５０から入力されるIQデータやLLRなどの値を用いて、誤り訂正符号の復号を行い、ビットストリームを出力する。
【００９０】
（第１１実施の形態）
図２１は、本発明の第１１実施の形態に係る受信装置の要部の構成を示す機能ブロック図である。本実施の形態に係る受信装置２０１は、２本の受信アンテナ２１０−１，２１０−２を用いてＯＦＤＭ信号を受信するものである。そのため、受信装置２０１は、図１９に示した受信装置２００の構成において、２本の受信アンテナ２１０−１，２１０−２に対応する２つのＲＦ部２２０−１，２２０−２を備える。
【００９１】
また、ＯＦＤＭ復調部２３０は、図２２に示すように、２本の受信アンテナ２１０−１，２１０−２に対応する、２つのＡ／Ｄ変換部２３１−１，２３１−２、２つの直交復調部２３２−１，２３２−２、２つのＧＩ除去部２３３−１，２３３−２、２つのＦＦＴ部２３４−１，２３４−２、２つのパイロット信号抽出部２３５−１，２３５−２、２つの伝送路応答推定部２３６−１，２３６−２を備える。
【００９２】
ＯＦＤＭ復調部２３０は、受信アンテナ毎の入力信号から、第１０実施の形態の場合と同様にして、それぞれの複素ベースバンド信号を生成するとともに、予め定められた第１実施の形態〜第６実施の形態のいずれかのＯＦＤＭシンボル構成に従ってパイロット信号を抽出して伝送路応答を推定する。これら受信アンテナ毎の複素ベースバンド信号及び伝送路応答の推定結果は、ブロック符号復号部２４０に入力されて、ブロック符号が復号される。復号されたブロック符号の復号結果を用いて、キャリア復調部２５０においてサブキャリア毎にIQデータやLLRなどを算出し、誤り訂正符号復号部２６０において誤り訂正符号の復号を行い、ビットストリームを出力する。
【００９３】
（第１２実施の形態）
図２３は、本発明の第１２実施の形態に係る受信装置の要部の構成を示す機能ブロック図である。本実施の形態に係る受信装置２０２は、４本の受信アンテナ２１０−１〜２１０−４を用いてＯＦＤＭ信号を受信するものである。そのため、受信装置２０２は、図１９に示した受信装置２００の構成において、４本の受信アンテナ２１０−１〜２１０−４に対応する４つのＲＦ部２２０−１〜２２０−４を備える。
【００９４】
また、ＯＦＤＭ復調部２３０は、図２４に示すように、４本の受信アンテナ２１０−１〜２１０−４に対応する、４つのＡ／Ｄ変換部２３１−１〜２３１−４、４つの直交復調部２３２−１〜２３２−４、４つのＧＩ除去部２３３−１〜２３３−４、４つのＦＦＴ部２３４−１〜２３４−４、４つのパイロット信号抽出部２３５−１〜２３５−４、４つの伝送路応答推定部２３６−１〜２３６−４を備える。
【００９５】
ＯＦＤＭ復調部２３０は、第１１実施の形態の場合と同様に、受信アンテナ毎の入力信号から、それぞれの複素ベースバンド信号を生成するとともに、予め定められた第１実施の形態〜第６実施の形態のいずれかのＯＦＤＭシンボル構成に従ってパイロット信号を抽出して伝送路応答を推定する。これら受信アンテナ毎の複素ベースバンド信号及び伝送路応答の推定結果は、第１１実施の形態の場合と同様に、ブロック符号復号部２４０に入力されて、ブロック符号が復号される。そして、復号されたブロック符号の復号結果を用いて、キャリア復調部２５０においてサブキャリア毎にIQデータやLLRなどを算出し、誤り訂正符号復号部２６０において誤り訂正符号の復号を行い、ビットストリームを出力する。
【００９６】
第１０実施の形態〜第１２実施の形態に係る受信装置２００〜２０２によると、第７実施の形態〜第９実施の形態のいずれかの送信装置から、第１実施の形態〜第６実施の形態のいずれかのＯＦＤＭシンボルに従って伝送される信号を受信して復号するので、簡単な構成で、高精度の復号が可能となる。
【００９７】
なお、上述した受信装置２００〜２０２は、コンピュータを用いて機能させることもできる。この場合、コンピュータは、受信装置の各機能を実現する処理内容を記述した受信プログラムを、当該コンピュータの記憶部に格納しておき、当該コンピュータのＣＰＵによってこの受信プログラムを読み出して実行させることで、受信装置を実現することができる。
【００９８】
上述の実施の形態は、個々に代表的な例として説明したが、本発明の趣旨及び範囲内で、多くの変更及び置換ができることは当業者に明らかである。したがって、本発明は、上述の実施の形態によって制限されるものと解するべきではなく、特許請求の範囲から逸脱することなく、種々の変形や変更が可能である。
【産業上の利用可能性】
【００９９】
このように、本発明によれば、同一周波数帯域の複数のＯＦＤＭ信号を用いて、伝送容量の低下及び伝送路応答の推定精度の低下を招くことなく、ブロック符号化されたデータを伝送することができるので、ＯＦＤＭ伝送システムにおける送信装置及び受信装置に有用である。
【符号の説明】
【０１００】
１００，１０１，１０２  送信装置
１１０，１１０−１〜１１０−４  送信アンテナ
１２０  誤り訂正符号化部
１３０  キャリア変調部
１４０  ブロック符号化部
１５０  ＯＦＤＭ変調部
１５１  パイロット信号生成部
１５２  ＯＦＤＭシンボル構成部
１５３，１５３−１〜１５３−４  ＩＦＦＴ部
１５４，１５４−１〜１５４−４  ＧＩ付加部
１５５，１５５−１〜１５５−４  直交変調部
１５６，１５６−１〜１５６−４  Ｄ／Ａ変換部
１６０，１６０−１〜１６０−４  ＲＦ部
２００，２０１，２０２  受信装置
２１０，２１０−１〜２１０−４  受信アンテナ
２２０，２２０−１〜２２０−４  ＲＦ部
２３０  ＯＦＤＭ復調部
２３１，２３１−１〜２３１−４  Ａ／Ｄ変換部
２３２，２３２−１〜２３２−４  直交復調部
２３３，２３３−１〜２３３−４  ＧＩ除去部
２３４，２３４−１〜２３４−４  ＦＦＴ部
２３５，２３５−１〜２３５−４  パイロット信号抽出部
２３６，２３６−１〜２３６−４  伝送路応答推定部
２４０  ブロック符号復号部
２５０  キャリア復調部
２６０  誤り訂正符号復号部
【図１】
2013236227.tif 000004
【図２】
2013236227.tif 000005
【図３】
2013236227.tif 000006
【図４】
2013236227.tif 000007
【図５】
2013236227.tif 000008
【図６】
2013236227.tif 000009
【図７】
2013236227.tif 000010
【図８】
2013236227.tif 000011
【図９】
2013236227.tif 000012
【図１０】
2013236227.tif 000013
【図１１】
2013236227.tif 000014
【図１２】
2013236227.tif 000015
【図１３】
2013236227.tif 000016
【図１４】
2013236227.tif 000017
【図１５】
2013236227.tif 000018
【図１６】
2013236227.tif 000019
【図１７】
2013236227.tif 000020
【図１８】
2013236227.tif 000021
【図１９】
2013236227.tif 000022
【図２０】
2013236227.tif 000023
【図２１】
2013236227.tif 000024
【図２２】
2013236227.tif 000025
【図２３】
2013236227.tif 000026
【図２４】
2013236227.tif 000027
【図２５】
2013236227.tif 000028
【図２６】
2013236227.tif 000029
【図２７】
2013236227.tif 000030
【図２８】
2013236227.tif 000031
【図２９】
2013236227.tif 000032
【図３０】
2013236227.tif 000033
【図３１】
2013236227.tif 000034
【図３２】
2013236227.tif 000035